(57)【要約】【課題】器具本体の組立作業性の向上を図りつつ器具本体のがたつきを抑える。【解決手段】第１ブリッジ１３１の一対の橋脚1310は、突部１３０が第１ブリッジ１３１の孔に挿通される向き(後ろ向き)において、先端側よりも後端側の方が高くなるように形成される。そして、橋脚1310が上述のように形成されれば、橋脚1310が先端から後端にかけて同じ高さに形成される場合と比較して、突部１３０を乗り越える際に受ける応力によって橋板1031が塑性変形し難くなる。故に、橋板1311が塑性変形することに起因した器具本体１のがたつきが抑えられるので、器具本体１の組立作業性の向上を図りつつ器具本体１のがたつきを抑えることができる。【選択図】        図１
2015141760.tif 000002
【特許請求の範囲】
【請求項１】
光源と、前記光源を支持する器具本体とを備え、前記器具本体は、前記光源の周囲を囲む筒状の枠体と、前記枠体と結合され、前記枠体の内側に臨む取付面に前記光源が取り付けられる底板とを有し、
前記枠体と前記底板の一方に１乃至複数の突部が設けられ、前記枠体と前記底板の他方に１乃至複数のブリッジが設けられ、
前記ブリッジは、一対の橋脚と、前記一対の橋脚に掛け渡される橋板とを備え、
前記突部は、前記一対の橋脚と前記橋板に囲まれる空間に挿通され、且つ前記橋板が乗り越えて引っ掛かるように構成されており、
前記一対の橋脚は、前記突部が前記空間に挿通される向きにおいて、先端側よりも後端側の方が高くなるように形成されることを特徴とする照明器具。
【請求項２】
前記突部は、前記空間に挿通される向きにおいて、前記橋板との接触面積が後端から先端に向かって徐々に減少するように構成されることを特徴とする請求項１記載の照明器具。
【請求項３】
前記枠体と前記底板の一方に１乃至複数の突起が設けられ、前記枠体と前記底板の他方に１乃至複数の第２ブリッジが設けられ、
前記第２ブリッジは、一対の橋脚と、前記一対の橋脚に掛け渡される橋板とを備え、
前記枠体及び前記底板は金属板で形成され、前記枠体及び前記底板は、前記金属板全体に塗膜が形成されており、前記第２ブリッジの橋板は、前記突起を乗り越える際に前記塗膜が前記突起により剥がされることで前記突起と電気的に接続されるように構成されることを特徴とする請求項１又は２記載の照明器具。
【請求項４】
前記枠体と前記底板の一方に複数の爪が設けられ、前記枠体と前記底板の他方に複数の第３ブリッジが設けられ、
前記第３ブリッジは、一対の橋脚と、前記一対の橋脚に掛け渡される橋板とを備え、
前記爪は、前記一対の橋脚と前記橋板に囲まれる空間に挿通されるように構成されており、
前記複数の爪及び前記複数の第３ブリッジは、前記空間に挿通される向きに沿って前記突部及び前記ブリッジの前後両側に設けられることを特徴とする請求項１〜３の何れか１項に記載の照明器具。
【発明の詳細な説明】
【技術分野】
【０００１】
本発明は、照明器具に関する。
【背景技術】
【０００２】
従来例として、特許文献１記載の天井埋込型の照明器具を例示する。この従来例は、前面(下面)が開口する箱状の器具本体と、発光面を前方に向けた状態で器具本体内に収納されるＬＥＤユニットとを備える。
【０００３】
器具本体は、矩形平板状の底部と、底部の各辺から前方へ突出する４つの側壁部とを備える。器具本体は、底部と、底部の隣り合わない２辺から突出する２つの側壁部とが１枚の金属板で形成され、残り２つの側壁部がそれぞれ１枚の金属板で形成され、これら２つの側壁部が、底部及び他の２つの側壁部に接合されることで箱状に形成される。
【０００４】
ところで、別々に形成された４つの側板の端部同士が接合されることで角筒状に形成される枠体と、枠体の一方の開口端側に取り付けられる矩形平板状の底板とで器具本体が構成される場合がある。この場合、器具本体の組立作業の作業性向上を図るため、枠体と底板は、工具や専用の設備を使用せずに結合されることが好ましい。
【０００５】
例えば、底板に設けられる爪が、側板に設けられるブリッジの内側の空間に挿入され、爪の一面から突出する突部と、ブリッジの橋板とが引っ掛かることでブリッジに対して爪が抜け止めされる。そして、このような爪とブリッジがそれぞれ底板と側板に複数設けられることにより、工具や専用の設備を使用せずに枠体と底板を結合することができる。なお、このように２つの板材同士を結合する構成は、例えば、特許文献２に開示されているように周知である。
【先行技術文献】
【特許文献】
【０００６】
【特許文献１】特開２０１３−１７８９４９号公報
【特許文献２】特開平９−３２０３２９号公報
【発明の概要】
【発明が解決しようとする課題】
【０００７】
しかしながら、ブリッジの橋板が爪の表面と平行である場合、爪の突部を乗り越える際に受ける応力によって、橋板が突部から離れる向きに塑性変形する虞がある。そして、橋板が突部から離れる向きに塑性変形した場合、橋板と突部とのクリアランスが大きくなるため、枠体に対して底板ががたつく虞がある。
【０００８】
本発明は、上記課題に鑑みて為されたものであり、器具本体の組立作業性の向上を図りつつ器具本体のがたつきを抑えることを目的とする。
【課題を解決するための手段】
【０００９】
本発明の照明器具は、光源と、前記光源を支持する器具本体とを備え、前記器具本体は、前記光源の周囲を囲む筒状の枠体と、前記枠体と結合され、前記枠体の内側に臨む取付面に前記光源が取り付けられる底板とを有し、前記枠体と前記底板の一方に１乃至複数の突部が設けられ、前記枠体と前記底板の他方に１乃至複数のブリッジが設けられ、前記ブリッジは、一対の橋脚と、前記一対の橋脚に掛け渡される橋板とを備え、前記突部は、前記一対の橋脚と前記橋板に囲まれる空間に挿通され、且つ前記橋板が乗り越えて引っ掛かるように構成されており、前記一対の橋脚は、前記突部が前記空間に挿通される向きにおいて、先端側よりも後端側の方が高くなるように形成されることを特徴とする。
【００１０】
この照明器具において、前記突部は、前記空間に挿通される向きにおいて、前記橋板との接触面積が後端から先端に向かって徐々に減少するように構成されることが好ましい。
【００１１】
この照明器具において、前記枠体と前記底板の一方に１乃至複数の突起が設けられ、前記枠体と前記底板の他方に１乃至複数の第２ブリッジが設けられ、前記第２ブリッジは、一対の橋脚と、前記一対の橋脚に掛け渡される橋板とを備え、前記枠体及び前記底板は金属板で形成され、前記枠体及び前記底板は、前記金属板全体に塗膜が形成されており、前記第２ブリッジの橋板は、前記突起を乗り越える際に前記塗膜が前記突起により剥がされることで前記突起と電気的に接続されるように構成されることが好ましい。
【００１２】
この照明器具において、前記枠体と前記底板の一方に複数の爪が設けられ、前記枠体と前記底板の他方に複数の第３ブリッジが設けられ、前記第３ブリッジは、一対の橋脚と、前記一対の橋脚に掛け渡される橋板とを備え、前記爪は、前記一対の橋脚と前記橋板に囲まれる空間に挿通されるように構成されており、前記複数の爪及び前記複数の第３ブリッジは、前記空間に挿通される向きに沿って前記突部及び前記ブリッジの前後両側に設けられることが好ましい。
【発明の効果】
【００１３】
本発明の照明器具は、ブリッジを構成する一対の橋脚が、突部が前記空間に挿通される向きにおいて、先端側よりも後端側の方が高くなるように形成される。そのため、本発明の照明器具は、ブリッジの橋板が塑性変形することに起因した器具本体のがたつきが抑えられる。その結果、本発明の照明器具は、器具本体の組立作業性の向上を図りつつ器具本体１のがたつきを抑えることができるという効果がある。
【図面の簡単な説明】
【００１４】
【図１】本発明に係る照明器具の実施形態を示し、器具本体の要部を示す斜視図である。
【図２】同上の分解斜視図である。
【図３】同上における器具本体を示す取付前の斜視図である。
【図４】同上における器具本体を示す取付前の平面図である。
【図５】同上における器具本体の抜け止め部を示す取付前の平面図である。
【図６】同上における器具本体の抜け止め部を示す取付前の断面図である。
【図７】同上における器具本体を示す取付途中の斜視図である。
【図８】同上における器具本体を示す取付途中の平面図である。
【図９】同上における器具本体の取付途中の要部を示す斜視図である。
【図１０】同上における器具本体の抜け止め部を示す取付途中の平面図である。
【図１１】同上における器具本体の抜け止め部を示す取付途中の断面図である。
【図１２】同上における器具本体を示す取付後の斜視図である。
【図１３】同上における器具本体を示す取付後の平面図である。
【図１４】同上における器具本体の取付後の要部を示す斜視図である。
【図１５】同上における器具本体の抜け止め部を示す取付後の平面図である。
【図１６】同上における器具本体の抜け止め部を示す取付後の断面図である。
【図１７】同上における器具本体の導通部を示す取付前の平面図である。
【図１８】同上における器具本体の導通部を示す取付前の斜視図である。
【図１９】同上における器具本体の導通部を示す取付後の平面図である。
【図２０】同上における器具本体の導通部を示す取付後の斜視図である。
【図２１】同上の反射部材を変更した変形例を示す分解斜視図である。
【図２２】同上の反射部材を変更した変形例を示す斜視図である。
【図２３】本発明に係る照明器具の別の実施形態を示す分解斜視図である。
【発明を実施するための形態】
【００１５】
以下、本発明に係る照明器具の実施形態について、図面を参照して詳細に説明する。本実施形態の照明器具は、天井板に設けられる埋込孔に器具本体が埋め込まれる天井埋込型の照明器具である。ただし、本発明の技術思想が適用可能な照明器具は天井埋込型のものに限定されず、例えば、天井板に直付けされる天井直付け型の照明器具であっても構わない。
【００１６】
本実施形態の照明器具は、図２に示すように器具本体１と、光源ブロック２とを備える。また、光源ブロック２は、複数(図示例では３つ)の光源ユニット３、電源装置４、複数(図示例では２つ)の反射部材５、取付板６などで構成される。なお、以下の説明では、特に断りの無い限り、図２において上下、前後、左右の各方向を規定する。
【００１７】
光源ユニット３は、ＬＥＤモジュール３０、取付部材３１、カバー３２、一対のカバーエンド３３、一対の反射シート３４などを備える。ＬＥＤモジュール３０は、セラミックスなどの絶縁材料製の基板３００と、基板３００の表面(下面)に等間隔且つ２列に並べて実装される複数個の発光ダイオード３０１とを有する。また、基板３００の長手方向の一端には、レセプタクルコネクタ３０２が実装される。このレセプタクルコネクタ３０２は、基板３００に形成されているプリント配線(図示せず)を介して各発光ダイオード３０１と電気的に接続されている。さらに、基板３００は、短手方向(左右方向)の両端に、３つの貫通孔３０３がそれぞれ長手方向(前後方向)に沿って等間隔に設けられている。
【００１８】
取付部材３１は、長尺の矩形板状である底壁部３１０と、底壁部３１０の長手方向(前後方向)に沿った両端から上向きに立ち上がる一対の側壁部３１１とを有する角樋状に形成されている。底壁部３１０は、短手方向(左右方向)の両端に、３つの切り起こし片３１２がそれぞれ長手方向に沿って等間隔に設けられている。
【００１９】
ＬＥＤモジュール３０は、取付部材３１の底壁部３１０と基板３００が密着した状態で、取付部材３１の６つの切り起こし片３１１が、基板３００の各貫通孔３０３に挿通された後にかしめられることにより、取付部材３１に取り付けられる。
【００２０】
反射シート３４は、ポリエチレンテレフタレートなどの合成樹脂材料からシート状に形成されている。また、反射シート３４は、白色に着色されることで表面(接着剤が塗布されていない面)が反射面となるように形成されている。そして、一対の反射シート３４は、発光ダイオード３０１を避けつつ底壁部３１０と基板３００に被さるように底壁部３１０と基板３００の表面(下面)に貼り付けられる。つまり、発光ダイオード３０１から放射される光を反射シート３４の反射面に反射させることで、より多くの光を照明空間に照射することができる。
【００２１】
カバー３２は、アクリル樹脂やポリカーボネート樹脂などの透光性を有する材料により、略半円筒形の主部３２０と、主部３２０の長手方向(前後方向)に沿った両端部より互いに並行するように上向きに突出した一対の突壁部３２１とが一体に形成されている。なお、各突壁部３２１の先端(上端)には、内向きに突出する突起部3210がそれぞれ一体に設けられている。また、主部３２０の長手方向に沿った両端部には、主部３２０と連なるように各突壁部３２１の外側まで延出された延出部３２２がそれぞれ一体に形成されている。そして、カバー３２は、各突壁部３２１の突起部3210が、取付部材３１の各側壁部３１１の先端(上端)に引っ掛かることにより、ＬＥＤモジュール３０の前方を覆うように取付部材３１の下面側に取り付けられる。なお、カバー３２は乳白色の拡散材が混入され、ＬＥＤモジュール３０から放射される光を拡散させて照明空間へ照射するように構成されている。
【００２２】
カバーエンド３３は、カバー３２と同じ材料で半円板状に形成され、カバー２２及び取付部材３１の長手方向の両端に取り付けられる。
【００２３】
電源装置４は、交流の電圧・電流を直流の電圧・電流に変換する電力変換回路や入力端子台４１、複数の出力端子台(図示せず)、信号端子台４２などが実装されたプリント配線板(図示せず)が金属製のケース４０に収納されて構成される。なお、入力端子台４１と信号端子台４２は、プリント配線板の前端部に実装され、図示しない出力端子台は、プリント配線板の後端部に実装される。
【００２４】
ケース４０は、角樋状に形成されたケース本体４００と、ケース本体４００の上に被せられる箱形のケース蓋４０１とを組み立てて構成される。ただし、入力端子台４１、出力端子台、信号端子台４２が実装されているプリント配線板の長手方向の両端部はケース蓋４０１で覆われていない。
【００２５】
取付板６は、鋼板などの金属板が矩形(正方形)に加工されてなる。ただし、取付板６は、４つの辺が同じ向き(下向き)に曲げ起こされることで強度の向上が図られている。そして、３つの光源ユニット３は、長手方向が前後方向に揃えられ、左右方向に沿って等間隔に並んだ状態で、ねじ止めなどの適宜の方法によって取付板６の下面に取り付けられる。また、電源装置４は、隣り合う２つの光源ユニット３の間において、ねじ止めなどの適宜の方法によって取付板６の下面(取付面)に取り付けられる。ただし、図２では電源装置４を１つしか図示していないが、光源ユニット３の個数に応じて、電源装置４が２つ以上設けられても構わない。
【００２６】
反射部材５は、隣り合う光源ユニット３の間に生じる２箇所のスペースにそれぞれ配置される。これらの反射部材５は同一の構成を有し、一対の反射板５０と、各反射板５０の上端から上向きに延出された一対の側板５１とが、長方形状の金属板を曲げ加工することで一体に形成されている。一対の反射板５０は、長手方向に沿った一方の端縁同士が繋がっており、長手方向(前後方向)から見てＶ字状に形成されている。
【００２７】
側板５１は、長手方向(前後方向)の両端における先端(上端)近傍にそれぞれ長孔からなる差込孔５１０が設けられている。そして、取付板６に設けられている複数の差込片６０が各側板５１の差込孔５１０に差し込まれることにより、取付板６に反射部材５が取り付けられる。なお、取付板６に取り付けられた電源装置４は、取付板６に取り付けられる一方(図２における右側)の反射部材５で覆い隠される。このように、反射部材５と取付板６で囲まれるデッドスペースに電源装置４が配置されるため、電源装置４が取付板６の背面(上面)に取り付けられる場合と比較して、光源ブロック２の低背化を図ることができる。
【００２８】
器具本体１は、角筒状の枠体１０と、矩形平板状のベース板(底板)１１とが結合されることにより、下面が開放された矩形箱状に形成される。
【００２９】
枠体１０は、左右方向に対向する一対の第１側板１００と、前後方向に対向する一対の第２側板１０１と、フランジ１０２とを有する。第１側板１００は、矩形板状の縦板1000と、縦板1000の下端縁から斜め下向きに突出する傾斜板1001と、縦板1000の上端縁から傾斜板1001と反対向き且つ水平に突出する取付片1002とが鋼板などの金属板で一体に形成されている。
【００３０】
また、第２側板１０１は、台形状の縦板1010と、縦板1010の上端縁から内向き且つ水平に突出する取付片1011と、縦板1010の両端から上向きに突出する一対の接合片1012とが、鋼板などの金属板で一体に形成されている。
【００３１】
第１側板１００は、長手方向(前後方向)における両端に第２側板１０１がそれぞれ接合される。すなわち、第２側板１０１の接合片1012が第１側板１００の縦板1000に溶接されることにより、第１側板１００と第２側板１０１とが接合される。
【００３２】
フランジ１０２は、金属板が加工されることで矩形枠状に形成され、第１側板１００及び第２側板１０１の下端縁に接合される。
【００３３】
ベース板１１は、鋼板などの金属板が矩形に加工されてなる。ただし、ベース板１１は、４つの辺が同じ向き(下向き)に曲げ起こされることで強度の向上が図られている。
【００３４】
また、ベース板１１は、給電用の電源線が挿通される第１挿通孔１１０と、調光用の制御信号などが伝送される信号線が挿通される第２挿通孔１１１とが設けられている。第１挿通孔１１０に挿通される電源線(図示せず)は、ベース板１１の下面に固定される第１端子台７に接続される。第１端子台７は、図示しない接続部に電線(図示せず)の一端が接続される。そして、この電線の他端が電源装置４の入力端子台４１に接続される。故に、商用電源から第１端子台７を介して電源装置４に交流電力が給電される。
【００３５】
また、ベース板１１の下面には、第２端子台８も固定される。第２端子台８は、第２挿通孔１１１に挿通される信号線(図示せず)と、電源装置４の信号端子台４２に接続される信号線とがそれぞれ接続される。つまり、図示しない調光器から信号線を介して伝送される調光信号が第２端子台８を通して電源装置４の信号端子台４２に入力される。電源装置４は、調光信号に対応して、出力(直流電力)を定格値から減少させることで各光源ユニット３を調光するように構成されている。さらに、ベース板１１は、図示しない吊りボルトが挿通される複数(図示例では３つ)のボルト挿通孔１１２が左右方向に一列に並べて設けられる。
【００３６】
上述のように構成されるベース板１１は、枠体１０の取付片1002に取り付けられる。ただし、枠体１０の取付片1002に対するベース板１１の取付構造については、後で詳述する。
【００３７】
器具本体１は、ベース板１１のボルト挿通孔１１２に挿通される吊りボルトにナット(図示せず)が締め付けられて吊りボルトに固定される。そして、器具本体１は、枠体１０のフランジ１０２が天井板の下面側(照明空間側)に露出し、その他の部分が天井板の埋込孔に挿入されて埋込配設される。つまり、フランジ１０２は、埋込孔の周縁と器具本体１との間に生じる隙間を塞いで隠すために設けられている。
【００３８】
また、枠体１０の各取付片1011には、いわゆるラッチ１５が左右方向に間隔を空けて２つずつ取り付けられている(図４参照)。ラッチ１５は、幅細の直方体状に形成された摘まみ１５０と、摘まみ１５０を回転可能に支持する支持部(図示せず)とを有する。そして、ラッチ１５は、取付片1011に設けられる取付孔(図示せず)に支持部が挿通されて取付片1011に取り付けられる。
【００３９】
一方、取付板６の前後両端には、ラッチ１５の摘まみ１５０が挿通可能な寸法を有する矩形の挿通孔６１がそれぞれ２つずつ設けられている。すなわち、埋込孔に埋め込まれた器具本体１内に光源ブロック２を収納する際、取付板６の各挿通孔６１に挿通されたラッチ１５の摘まみ１５０が９０度回転されることにより、挿通孔６１に対して摘まみ１５０が抜け止めされる。したがって、光源ブロック２は、４つのラッチ１５によって器具本体１(枠体１０の一対の取付片1011)に取り付けられる。ただし、上述のようなラッチ１５は従来周知であるから、詳細な構成の図示並びに説明は省略する。
【００４０】
次に、本発明の要旨である枠体１０の取付片1002に対するベース板１１の取付構造について、詳しく説明する。
【００４１】
枠体１０の取付片1002及びベース板１１には、４つの取付部１２と２つの抜け止め部１３とが設けられている。
【００４２】
取付部１２は、取付片1002に設けられるブリッジ(第３ブリッジ)１２２と、ベース板１１に設けられる爪１２０及び貫通孔１２１とで構成される。
【００４３】
第３ブリッジ１２２は、図１に示すように取付片1002から下向きに突出する一対の橋脚1220と、一対の橋脚1220に掛け渡される橋板1221とを備える。このような第３ブリッジ１２２は、例えば、打ち抜き加工によって形成される。なお、以下の説明では、一対の橋脚1221及び橋板1220に囲まれる空間を第３ブリッジ１２２の孔と呼ぶ。
【００４４】
一方、爪１２０は、ベース板１１の四隅に設けられる矩形の貫通孔１２１の１つの辺(前方の辺)から突出する山形(放物線形状)に形成されている。このような爪１２０及び貫通孔１２１は、例えば、打ち抜き加工によって形成される。
【００４５】
抜け止め部１３は、図１に示すように取付片1002に設けられる突部１３０と、ベース板１１に設けられるブリッジ(第１ブリッジ)１３１及び貫通孔１３２とで構成される。なお、抜け止め部１３は、前後方向において２つの取付部１２の間に配置される。
【００４６】
第１ブリッジ１３１は、ベース板１１に設けられる長方形の貫通孔１３２を短幅方向に跨ぐように、貫通孔１３２の長手方向におけるほぼ中央に設けられている。また、第１ブリッジ１３１は、図１に示すようにベース板１１から下向き(図１においては上向き)に突出する一対の橋脚1310と、一対の橋脚1310に掛け渡される橋板1311とを備える。このような貫通孔１３２及び第１ブリッジ１３１は、例えば、打ち抜き加工によって形成される。なお、以下の説明では、一対の橋脚1310及び橋板1311に囲まれる空間を第１ブリッジ１３１の孔と呼ぶ。
【００４７】
一方、突部１３０は、台形状の接触片1300と、一辺が接触片1300の２つの斜辺(台形における底辺以外の２辺)に各別に繋がった三角形状の一対の側片1301とで構成される。また、突部１３０は、接触片1300の２つの底辺(台形における平行な２辺)のうちの長い方の底辺のみで取付片1002と連結されるように構成されている。つまり、突部１３０は、取付片1002に連結されている接触片1300の底辺を支点として撓み可能に構成されている（図６参照)。なお、このような突部１３０は、例えば、打ち抜き加工によって形成される。
【００４８】
続いて、ベース板１１を取付片1002に取り付ける手順を説明する。作業者は、枠体１０の内側からベース板１１を取付片1002に密着させる。このとき、取付片1002に設けられている４つの第３ブリッジ１２２が、ベース板１１に設けられている４つの貫通孔１２１に各別に挿通される(図３及び図４参照)。同じく、取付片1002に設けられている２つの突部１３０が、ベース板１１に設けられている２つの貫通孔１３２に各別に挿通される(図３〜図６参照)。
【００４９】
そして、作業者は、図７及び図８に示すようにベース板１１を取付片1002に対して矢印の向きに平行移動させる。そうすると、４つの取付部１２の爪１２０が４つの第３ブリッジ１２２の孔に各別に挿通されるとともに、２つの突部１３０が２つの第１ブリッジ１３１の孔に各別に挿通される(図７〜図１１参照)。
【００５０】
さらに、作業者は、第３ブリッジ１２２が爪１２０の根元近くに達するまでベース板11を平行移動させる。そうすると、４つの爪１２０がそれぞれ４つの第３ブリッジ１２２に引っ掛かるため、取付片1002(枠体１０)に対してベース板１１が結合される(図１２〜図１４参照)。このとき、第１ブリッジ１３１の橋板1310が突部１３０を撓ませて乗り越え、橋板1310に突部１３０が引っ掛かるため、突部１３０が反挿通向き(前向き)に移動することが規制(抜け止め)される(図１４〜図１６参照)。
【００５１】
ここで、各第１ブリッジ１３１の一対の橋脚1310は、突部１３０が第１ブリッジ１３１の孔に挿通される向き(後ろ向き)において、先端側よりも後端側の方が高くなるように形成される。そして、橋脚1310が上述のように形成されれば、橋脚1310が先端から後端にかけて同じ高さに形成される場合と比較して、突部１３０を乗り越える際に受ける応力によって橋板1031が塑性変形し難くなる。
【００５２】
本実施形態の照明器具は、光源(光源ブロック２)と、光源(光源ブロック２)を支持する器具本体１とを備える。また、器具本体１は、光源(光源ブロック２)の周囲を囲む筒状の枠体１０と、枠体１０と結合され、枠体１０の内側に臨む取付面に光源(光源ブロック２)が取り付けられる底板(ベース板１１)とを有する。また、枠体１０と底板(ベース板１１)の一方(枠体１０)に１乃至複数の突部１３０が設けられる。さらに、枠体１０と底板(ベース板１１)の他方(ベース板１１)に１乃至複数のブリッジ(第１ブリッジ１３１)が設けられる。ブリッジ(第１ブリッジ１３１)は、一対の橋脚1310と、一対の橋脚1310に掛け渡される橋板1311とを備える。突部１３０は、一対の橋脚1310と橋板1311に囲まれる空間(孔)に挿通され、且つ橋板1311が乗り越えて引っ掛かるように構成されている。また、一対の橋脚1310は、突部１３０が前記空間に挿通される向きにおいて、先端側よりも後端側の方が高くなるように形成される。
【００５３】
本実施形態の照明器具は上述のように構成されるので、ブリッジ(第１ブリッジ１３１)の橋板1311が塑性変形することに起因した器具本体１のがたつきが抑えられる。故に、本実施形態の照明器具は、器具本体１の組立作業性の向上を図りつつ器具本体１のがたつきを抑えることができる。
【００５４】
また、突部１３０は、前記空間に挿通される向きにおいて、橋板1311との接触面積が後端から先端に向かって徐々に減少するように構成されることが好ましい。例えば、本実施形態における突部１３０は、橋板1311に接触する接触片1300が台形状に形成され、且つ長い方の底辺が取付片1002と繋がるように構成されている。
【００５５】
つまり、突部１３０が第１ブリッジ１３１の空間(孔)に挿通される過程において、接触片1300における橋板1311の接触位置が後端に近付くにつれて接触圧が増大して接触抵抗(動摩擦力)が増大する。そこで、上述のように接触片1300が台形状に形成されていると、接触片1300における橋板1311の接触位置が後端に近付くにつれて接触片1300と橋板1311との接触面積が減少する。その結果、作業者がベース板１１を平行移動させる際の操作力を減少させることができる。
【００５６】
なお、抜け止め部１３は、ベース板１１に突部１３０が設けられ、且つ取付片1002に第１ブリッジ１３１及び貫通孔１３２が設けられるように構成されても構わない。その場合、取付部１２は、ベース板１１に第３ブリッジ１２２と貫通孔１２１が設けられ、且つ取付片1002に爪１２０が設けられるように構成されることが望ましい。
【００５７】
さらに、本実施形態の照明器具は、枠体１０と底板(ベース板１１)の一方(ベース板１１)に複数の爪１２０が設けられ、枠体１０と底板(ベース板１１)の他方(枠体１０)に複数の第３ブリッジ１２２が設けられることが好ましい。第３ブリッジ１２２は、一対の橋脚1220と、一対の橋脚1220に掛け渡される橋板1221とを備えることが好ましい。爪１２０は、一対の橋脚1220と橋板1221に囲まれる空間(孔)に挿通されるように構成されていることが好ましい。複数の爪１２０及び複数の第３ブリッジ１２２は、空間に挿通される向きに沿って突部１３０及びブリッジ(第１ブリッジ１３１)の前後両側に設けられることが好ましい。
【００５８】
上述のように爪１２０と第３ブリッジ１２２からなる複数の取付部１２が、挿通方向に沿って抜け止め部１３の両側に設けられれば、枠体１０(取付片1002)に対する底板(ベース板１１)の取付強度の向上を図ることができる。
【００５９】
ところで、器具本体１は、電気設備技術基準などの法規により、電気的に接地されている必要がある。したがって、本実施形態のように、金属板で別体に形成される枠体１０とベース板１１から器具本体１が構成される場合、枠体１０とベース板１１が電気的に導通していなければならない。しかしながら、金属板で形成される枠体１０とベース板１１は、何れも防錆用の塗膜が表面に形成されているので、単純に結合されただけでは、一般に電気絶縁性を有する塗膜(塗料)によって非導通となる。
【００６０】
そこで、本実施形態の照明器具は、枠体１０とベース板１１が結合されるときに両者を電気的に導通させる導通部１４を有している。
【００６１】
導通部１４は、図１７に示すようにベース板１１に設けられる爪１４０及び貫通孔１４１、突起１４２と、枠体１０の取付片1002に設けられるブリッジ(第２ブリッジ)１４３とで構成される。
【００６２】
第２ブリッジ１４３は、取付片1002から下向きに突出する一対の橋脚1430と、一対の橋脚1430に掛け渡される橋板1431とを備える。このような第２ブリッジ１４３は、例えば、打ち抜き加工によって形成される。なお、以下の説明では、一対の橋脚1430及び橋板1431に囲まれる空間を第２ブリッジ１４３の孔と呼ぶ。
【００６３】
一方、爪１４０は、ベース板１１の左右両端における取付部１２と抜け止め部１３との間にそれぞれ１つずつ設けられる矩形の貫通孔１４１の１つの辺(前方の辺)から突出する山形(放物線形状)に形成されている。このような爪１４０及び貫通孔１４１は、例えば、打ち抜き加工によって形成される。また、爪１４０の表面(下面)には、三角形状の突起１４２が設けられている。なお、このような突起１４２は、例えば、打ち抜き加工によって形成される。
【００６４】
而して、導通部１４は、取付部１２及び抜け止め部１３と同様に、ベース板１１が枠体１０の取付片1002に取り付けられる際、第２ブリッジ１４３の孔に爪１４０が挿通される(図１８〜図２０参照)。このとき、爪１４０の表面に設けられている突起１４２の先端が第２ブリッジ１４３の橋板1431と接触して、橋板1431及び突起１４２の塗膜が部分的に剥がれる。その結果、橋板1431と突起１４２の地金(金属板)同士が直接接触することになるため、枠体１０とベース板１１が電気的に導通(接続)される。
【００６５】
上述のように本実施形態の照明器具は、枠体１０と底板(ベース板１１)の一方(ベース板１１)に１乃至複数の突起１４２が設けられ、枠体１０と底板(ベース板１１)の他方(枠体１０)に１乃至複数の第２ブリッジ１４３が設けられることが好ましい。また、第２ブリッジ１４３は、一対の橋脚1430と、一対の橋脚1430に掛け渡される橋板1431とを備える。さらに、枠体１０及び底板(ベース板１１)は金属板で形成され、枠体１０及び底板（ベース板１１）は、金属板全体に塗膜が形成されている。第２ブリッジ１４３の橋板1431は、突起１４２を乗り越える際に塗膜が突起１４２により剥がされることで突起１４２と電気的に接続されるように構成される。
【００６６】
本実施形態の照明器具は、上述のように構成されるので、枠体１０にベース板１１が取り付けられる際に自動的に両者が電気的に接続されて導通が図られる。そのため、枠体１０とベース板１１をリード線で接続するような手間が要らず、製造工程の簡素化を図ることができる。
【００６７】
ところで、ベース板１１は、枠体１０の第２側板１０１間の幅寸法よりも、前後方向の幅寸法が短く構成されている。故に、ベース板１１と枠体１０が結合されて器具本体１が組み立てられた状態において、器具本体１の天面(上面)に孔が開口することになる。
【００６８】
而して、作業者が、器具本体１を吊りボルトと取り付ける際、枠体１０の内側から天面の孔を通して作業することができる。つまり、作業者は、ベース板１１の上面側で吊りボルトに締め込まれるボルトを容易に回すことができる。故に、本実施形態の照明器具は、施工作業の作業性の向上を図ることができる。
【００６９】
なお、図２１及び図２２に示すように反射部材５における反射板５０と一対の側板５１との間に、取付板６と平行な平坦部５２が設けられていても構わない。
【００７０】
ここで、光源ブロック２は、図２３に示す構成であっても構わない。図２３に示す光源ブロック２は、光源ユニット３の構造や取付板６の構造、枠体１０に対する取付板６の取付構造などが異なる以外は、基本的に図２に示した光源ブロック２と共通の構成を有している。
【００７１】
光源ユニット３は、４つのＬＥＤモジュール３０、取付部材３１、パネル３５、化粧枠３６などで構成される。
【００７２】
ＬＥＤモジュール３０は、正方形状の基板３０４と、基板３０４の下面に縦横にほぼ等間隔に並べて実装される多数の発光ダイオード３０１と、基板３０４の前面(下面)に配置される正方形状の反射シート３０５と、レンズブロック３０６とを有する。
【００７３】
反射シート３０５は、合成ゴムや合成樹脂などの絶縁材料からなるシート材の表面(下面)に反射率が相対的に高い物質からなる反射層が形成されて構成される。反射シート３０５には、発光ダイオード３０１を露出させる貫通孔3050が縦横に並べて形成されている。すなわち、反射シート３０５が基板３０４の下面側に配置されることにより、発光ダイオード３０１から放射される光が反射シート３０５によって下方へ反射される。
【００７４】
レンズブロック３０６は、矩形平板状の主部3060と、発光ダイオード３０１から放射される光(白色光)の配光を制御する多数のレンズ3061とがアクリル樹脂やポリカーボネート樹脂などで一体に形成されたものである。
【００７５】
そして、各ＬＥＤモジュール３０は、レンズブロック３０６の主部3060と、基板３０４と、反射シート３０５とを貫通する挿通孔に挿通されるねじ３８が取付部材３１の底板のねじ孔３１３に締め付けられることにより、取付部材３１に取り付けられる。
【００７６】
パネル３５は、透光性を有する材料(例えば、アクリル樹脂やポリカーボネート樹脂、石英ガラスなど)で矩形平板状に形成される。
【００７７】
化粧枠３６は、金属板が加工されて矩形枠状に形成される。そして、化粧枠３６は、下からパネル３５の全周縁を支持するようにして、取付板６に取り付けられる。
【００７８】
取付板６は、左右方向に対向する一対の側壁に、それぞれ一対の取付ばね３７が前後方向に並ぶように取り付けられている。取付ばね３７は、ねじりコイルばねからなる本体３７０と、本体３７０の両方のばね端から延びる一対の腕片３７１とが一体に形成されている。そして、取付ばね３７は、取付板６に設けられた取付金具６２にばね本体３７０が支持されることで取付板６に取り付けられる。
【００７９】
一方、器具本体１を構成する枠体１０には、各取付ばね３７の一対の腕片３７１の先端部が各別に引っ掛けられる複数の引掛部１０３が設けられている。つまり、光源ブロック２は、枠体１０の内側に収納された状態で複数の取付ばね３７によって枠体１０に支持される。ただし、このように複数の取付ばね３７を用いた取付構造は従来周知であるから、詳細な構成の図示並びに説明を省略する。
【符号の説明】
【００８０】
１  器具本体
２  光源ブロック
３  光源ユニット(光源)
１０  枠体
１１  ベース板(底板)
１３  抜け止め部
１３０  突部
１３１  ブリッジ(第１ブリッジ)
１３１０  橋脚
１３１１  橋板
【図１】
2015141760.tif 000003
【図２】
2015141760.tif 000004
【図３】
2015141760.tif 000005
【図４】
2015141760.tif 000006
【図５】
2015141760.tif 000007
【図６】
2015141760.tif 000008
【図７】
2015141760.tif 000009
【図８】
2015141760.tif 000010
【図９】
2015141760.tif 000011
【図１０】
2015141760.tif 000012
【図１１】
2015141760.tif 000013
【図１２】
2015141760.tif 000014
【図１３】
2015141760.tif 000015
【図１４】
2015141760.tif 000016
【図１５】
2015141760.tif 000017
【図１６】
2015141760.tif 000018
【図１７】
2015141760.tif 000019
【図１８】
2015141760.tif 000020
【図１９】
2015141760.tif 000021
【図２０】
2015141760.tif 000022
【図２１】
2015141760.tif 000023
【図２２】
2015141760.tif 000024
【図２３】
2015141760.tif 000025